(57)【要約】【課題】回転軸が傾いた状態で塗料を塗布する際に塗料を均一に塗布することができる塗布用ローラおよびそれを用いた折板屋根用塗布装置を提供する。【解決手段】供給される塗料を吐出するための吐出口２０ａを有する軸部材２０と、その軸部材２０が中空部に挿入され、かつ、回転可能に支持されているローラ３０とを備え、軸部材２０の外周面とローラ３０の内周面との隙間１０ａに吐出口２０ａから吐出される塗料を充満させて滲み出させることによりローラ３０に塗料を供給する塗布用ローラ１０であって、隙間１０ａを形成する軸部材２０の外周面にスパイラル状の外歯２０ｂが設けられていることを特徴とする塗布用ローラである。【選択図】図１
2014213220.tif 000002
【特許請求の範囲】
【請求項１】
供給される塗料を吐出するための吐出口を有する軸部材と、その軸部材が中空部に挿入され、かつ、回転可能に支持されているローラとを備え、前記軸部材の外周面と前記ローラの内周面との隙間に前記吐出口から吐出される塗料を充満させて滲み出させることにより前記ローラに塗料を供給する塗布用ローラであって、
前記隙間を形成する軸部材の外周面にスパイラル状の外歯が設けられていることを特徴とする塗布用ローラ。
【請求項２】
塗料を折板屋根に塗布するための塗布装置であって、
供給される塗料を主に折板屋根のウェブに塗布するための２つの請求項１に記載の塗布用ローラと、
当該塗布用ローラをそれらの回転軸がＶ字状となるように保持するフレームと、
そのフレームが一端に固定された柄とを備えることを特徴とする折板屋根用塗布装置。
【請求項３】
前記塗布装置が、さらに、主に折板屋根の下底に塗料を塗布するための回転可能に支持されている補助ローラを備えることを特徴とする請求項２に記載の折板屋根用塗布装置。
【発明の詳細な説明】
【技術分野】
【０００１】
本発明は、圧送により供給される塗料を被塗布面に塗布するための塗布用ローラおよびそれを用いた折板屋根用塗布装置に関する。さらに詳しくは、塗布用ローラをその回転軸が傾いた状態で用いて塗料を塗布する際に塗料を均一に塗布することができる塗布用ローラおよびそれを用いた折板屋根用塗布装置に関する。
【背景技術】
【０００２】
塗布用ローラを用いた塗料の塗布では、ホースを介した圧送等により供給して塗料を塗布用ローラに含浸させる（浸み込ませる）場合と、塗布用ローラを塗料に浸漬することにより塗料を塗布用ローラに含浸させる場合がある。
【０００３】
塗料を塗布用ローラに供給する場合には、塗布装置として、例えば、塗料が貯留されるタンクと、そのタンクと配管を介して接続するポンプと、そのポンプからホースを介して塗料が圧送されるガンと、そのガンに接続された塗布用ローラとを備える塗布装置を用いることができる。ガンは、塗布用ローラの握り部分（グリップ）として機能するとともに、タンクからホースを介して供給された塗料を塗布用ローラにさらに供給するための流路としても機能する。そのガンには、さらに、レバーが設けられており、そのレバーの操作により塗料の流量を調整するとともに流路を開閉する弁としてもガンは機能する。
【０００４】
このような構成の塗布装置に用いられる塗布用ローラに関し、従来から種々の提案がなされており、例えば、特許文献１および２がある。特許文献１に記載の塗布用ローラは、内部に塗料を流通させる流路を形成したコアと、そのコアの外周に被塗布面に塗料を塗布するための塗布材と、コアに挿入されるとともにコアに塗料を供給する軸部材とを備える。その軸部材には、軸心に設けられた塗料の流路からコアに塗料を供給するための孔が形成される。また、軸部材の外周面とコアの内周面の間には、所定の隙間が設けられる。このようにコアの回転軸に沿って設けられた隙間に軸部材の孔から吐出した塗料を充満させることにより、平均化してコアに塗料を供給する。
【０００５】
このような特許文献１に記載の塗布用ローラでは、コアを焼結材で構成することにより、低粘度塗料を用いた場合に塗布材に滲み出した塗料の大部分が被塗布面に塗布されることなく塗布材を通過して滴下するのを防止し、塗布材全体にバランスよく塗料を滲み出させて供給できるとしている。
【０００６】
また、特許文献２に記載の塗布用ローラは、供給される塗料を吐出するための孔が周壁に形成された吐出管（軸部材）と、吐出管に嵌挿される円筒状のローラとを備える。吐出管の外周面とローラの内周面の間には、所定の空間（隙間）が設けられる。このようにローラの回転軸に沿って設けられた空間（隙間）に吐出管（軸部材）の孔から吐出した塗料を充満させてローラに滲み出させることにより、ローラに塗料を供給して含浸させる。
【０００７】
このような特許文献２に記載の塗布用ローラでは、吐出管の孔形状を軸方向に細長いスリットとするとともに、そのスリット開口面積を、吐出管の先端側を基部側よりも大きくするとしている。これにより、圧力差によって塗料が不均一に塗布されるのを防止し、塗料を均一に塗布できるとしている。
【先行技術文献】
【特許文献】
【０００８】
【特許文献１】特開２００２−１７７８６４号公報
【特許文献２】特開平８−１９２０９５号公報
【発明の概要】
【発明が解決しようとする課題】
【０００９】
前述の通り、塗布用ローラを用いた塗料の塗布では、ホースを介した圧送等により塗料を塗布用ローラに供給する場合がある。特許文献１および２には、供給された塗料を塗布用ローラにより塗布した際に不均一に塗料が塗布されるのを防止するための塗布用ローラが提案されている。これらの塗布用ローラを用いてその回転軸を水平にして塗料を塗布する場合、具体的には、水平面に塗料を塗布する場合や、鉛直面に塗布用ローラを上下方向に往復移動させて塗料を塗布する場合には、塗料を均一に塗布することができる。
【００１０】
しかしながら、特許文献１および２に提案される塗布用ローラを用いてその回転軸を水平状態から傾けて塗料を塗布する場合、具体的には、鉛直面に塗布用ローラを横方向に往復移動させて塗料を塗布する場合には、塗料を均一に塗布することができない。その理由を以下に詳述する。
【００１１】
前述の通り、特許文献１および２に提案される塗布用ローラは、供給される塗料を塗布用ローラの回転軸に沿って設けられた隙間に充満させ、充満した塗料を隙間の外周に設けられたローラまたはコアに供給する。この場合、塗布用ローラの回転軸が水平な状態であれば、充満した塗料が回転軸の方向で均一に塗布材に供給されるが、回転軸を傾けた状態であれば、重力の影響により、塗料の供給量が塗布材の上側で減少するとともに塗布材の下側で増加する。
【００１２】
ここで、建築物の屋根として、金属製の折板を用いる折板屋根が多く採用されている。折板屋根を構成する折板については、ＪＩＳ  Ａ  ６５１４−１９９５に規定されている。この折板は、例えば、鋼板をロール成形機によって成形加工することにより作製され、その形状は、上底、ウェブ、下底およびウェブがその順で繰り返す波形である。
【００１３】
このような形状の折板の表面には、屋根に用いられることから、防錆や美観の向上を目的として、塗料の塗布により塗膜が形成されている。しかし、折板を屋根として用いると、その塗膜が直射日光の照射やそれに伴う温度上昇、風雨等によって消耗し易い。このため、建築物の屋根として敷設されている折板に、塗料を塗布することにより、塗膜を再形成する保守作業が行われる。
【００１４】
屋根として敷設されている折板のウェブに塗料を塗布する際に特許文献１および２に提案される塗布用ローラを、例えば、その回転軸を水平にした状態で上底から下底の方向に往復移動させて塗料を塗布すれば、均一な膜厚の塗膜を形成できる。しかしながら、この場合、上底から下底の方向の往復移動で塗料を塗布できる幅は、塗布用ローラの塗布材の幅が限度であり、作業効率が悪い。
【００１５】
一方、屋根として敷設されている折板のウェブに塗料を塗布する際に特許文献１および２に提案される塗布用ローラを用い、例えば、その回転軸を傾けて下底の長手方向に沿って往復移動させて塗料を塗布すれば、作業効率は若干向上するが、ウェブの上側で塗料の塗布量が減少するとともに下側で塗布量が増加する。その結果、ウェブに形成された塗膜の膜厚も上側が薄くなるとともに下側が厚くなり、上側の塗膜の膜厚が不足して塗膜による防錆効果等が低下する事態や、上側の塗膜の消耗により金属製の折板が露出して美観が損なわれる事態となる。
【００１６】
本発明は、このような状況に鑑みてなされたものであり、塗布用ローラをその回転軸が傾いた状態で用いて塗料を塗布する際に作業効率を維持しつつ塗料を均一に塗布することができる塗布用ローラを提供することを目的とする。また、本発明は、作業効率を向上できるとともに、塗料を均一に塗布することができる折板屋根用塗布装置を提供することを目的とする。
【課題を解決するための手段】
【００１７】
本発明者らは、塗料が供給される塗布用ローラにおいて、その回転軸が傾いた状態で塗料を均一に塗布する方法を検討した。その結果、供給される塗料を吐出するための吐出口を有する軸部材の外周面と、被塗布面に塗料を塗布するためのローラの内周面との隙間に吐出口から吐出される塗料を充満させて滲み出させることにより塗料が供給される塗布用ローラにおいて、軸部材の外周面にスパイラル状の外歯を形成することを想到した。
【００１８】
これにより、ローラをある方向に回転させると、それに伴って隙間に充満している塗料が外歯に沿って巻き上げられて上方に移動する。また、ローラを逆方向に回転させると、それに伴って隙間に充満している塗料のローラへの滲み出しが促進される。これらの作用により、塗布用ローラの回転軸が傾いた状態でも作業効率を維持しつつ塗料を均一に塗布できることを知見した。
【００１９】
さらに、本発明者らは、軸部材の外周面にスパイラル状の外歯が形成されている塗布用ローラをその回転軸がＶ字状となるように２つ配置し、折板屋根のウェブに塗料を塗布すれば、塗料を均一に塗布できるとともに作業効率を大幅に向上できることを知見した。
【００２０】
本発明は、上記の知見に基づいて完成したものであり、下記（１）の塗布用ローラ、下記（２）および（３）の折板屋根用塗布装置を要旨としている。
【００２１】
（１）供給される塗料を吐出するための吐出口を有する軸部材と、その軸部材が中空部に挿入され、かつ、回転可能に支持されているローラとを備え、前記軸部材の外周面と前記ローラの内周面との隙間に前記吐出口から吐出される塗料を充満させて滲み出させることにより前記ローラに塗料を供給する塗布用ローラであって、前記隙間を形成する軸部材の外周面にスパイラル状の外歯が設けられていることを特徴とする塗布用ローラ。
【００２２】
（２）塗料を折板屋根に塗布するための塗布装置であって、供給される塗料を主に折板屋根のウェブに塗布するための２つの上記（１）に記載の塗布用ローラと、当該塗布用ローラをそれらの回転軸がＶ字状となるように保持するフレームと、そのフレームが一端に固定された柄とを備えることを特徴とする折板屋根用塗布装置。
【００２３】
（３）前記塗布装置が、さらに、主に折板屋根の下底に塗料を塗布するための回転可能に支持されている補助ローラを備えることを特徴とする上記（２）に記載の折板屋根用塗布装置。
【００２４】
本発明において「当該塗布用ローラをそれらの回転軸がＶ字状となるように保持する」とは、後述する図３に示すように、折板屋根の１つの下底９０ａに連なる２つのウェブ９０ｂのうちで、一方のウェブ９０ｂに沿って一方の塗布用ローラ５１を保持し、かつ、他方のウェブ９０ｂに沿って他方の塗布用ローラ５２を保持することにより、２つの塗布用ローラの回転軸（５１ａ、５２ａ）がＶ字状となるように保持することを意味する。
【発明の効果】
【００２５】
本発明の塗布用ローラは、塗料を充満させる隙間を形成する軸部材の外周面にスパイラル状の外歯を設ける。これにより、ある方向にローラを回転させれば、充満している塗料が巻き上げられて上方に移動し、逆方向にローラを回転させれば、充満している塗料が上側と下側で均一にローラに滲み出す。その結果、塗布用ローラの回転軸を傾けて用いた場合でも、作業効率を維持しつつ被塗布面に上側と下側で膜厚が均一な塗膜を形成できる。
【００２６】
本発明の折板屋根用塗布装置は、上述の本発明の塗布用ローラを、フレームによって回転軸がＶ字状となるように２つ保持する。これにより、折板屋根のウェブの上側と下側で膜厚が均一な塗膜を形成できる。また、折板屋根の下底と、その下底に連なる２つのウェブとに同時に塗料を塗布でき、作業効率を大幅に向上できる。
【図面の簡単な説明】
【００２７】
【図１】本発明の塗布用ローラの構成例を模式的に示す断面図である。
【図２】本発明の折板屋根用塗布装置の構成例を示す模式図であり、同図（ａ）は上面図、同図（ｂ）は側面図である。
【図３】本発明の折板屋根用塗布装置の構成例を模式的に示す正面図である。
【発明を実施するための形態】
【００２８】
以下に、本発明の塗布用ローラおよび折板屋根用塗布装置について、図面を参照しながら説明する。
【００２９】
図１は、本発明の塗布用ローラの構成例を模式的に示す断面図である。同図に示す塗布用ローラ１０は、前述した従来の塗布装置、すなわち、タンク、ポンプ、ガンおよび塗布用ローラで構成される塗布装置において、塗布用ローラとして採用できる。
【００３０】
同図に示す塗布用ローラ１０は、軸部材２０、ローラ３０、ベアリング４０およびロッド４１を備える。ロッド４１は、内部が塗料の流路であり、一端が塗布装置のガン（図示なし）と接続され、他端が軸部材２０と接続される。一端がロッド４１と接続された軸部材２０は、中空の内部がロッド４１から供給された塗料の流路となり、他端は閉塞されている。また、軸部材２０には、３箇所に吐出口２０ａが設けられ、その吐出口２０ａはロッド４１から供給される塗料を外周面側の隙間１０ａに吐出する。
【００３１】
軸部材２０は、塗料供給側（ロッド４１が接続される側）の端部にはベアリング４０が配置され、閉塞側の端部にはキャップ部２０ｃが配設されている。このような軸部材２０を筒状のローラ３０の中空部に挿入することにより、軸部材２０の外周にローラ３０が装着される。そのローラ３０は、ベアリング４０により回転可能に支持される。また、軸部材２０の外周面とローラ３０の内周面との間には隙間１０ａが設けられ、その隙間１０ａは、塗料供給側がベアリング４０により閉塞され、閉塞側がキャップ部２０ｃにより閉塞される。
【００３２】
このように同図に示す塗布用ローラ１０は、供給される塗料を吐出するための吐出口２０ａを有する軸部材２０と、その軸部材２０が中空部に挿入され、かつ、回転可能に支持されているローラ３０とを備える。また、吐出口２０ａから吐出される塗料は、軸部材２０の外周面とローラ３０の内周面との隙間１０ａに充満し、やがてローラ３０に滲み出すことにより、塗料がローラ３０に供給されて含浸される。このように塗料が含浸しているローラ３０を被塗布面に押し付けつつ移動させることによってローラ３０を回転させれば、ローラ３０が含浸している塗料を被塗布面に塗布することができる。
【００３３】
本発明の塗布用ローラは、軸部材の吐出口２０ａから吐出された塗料が充満する隙間１０ａを形成する軸部材の外周面にスパイラル状の外歯２０ｂが設けられていることを特徴とする。これにより、隙間１０ａに充満している塗料がローラの回転に伴って周方向に移動する際、スパイラル状の外歯２０ｂに案内されて回転軸１０ｂの方向にも移動する。このため、塗布用ローラをその回転軸１０ｂを傾けて用いた場合、ある方向にローラを回転させれば、充満している塗料が巻き上げられて上方に移動する。この状態で、逆方向にローラを回転させれば、塗料が巻き上げられて上方に移動していることから、充満している塗料が上側と下側で均一にローラ３０に滲み出す。
【００３４】
したがって、塗布用ローラを往復運動させて塗料を塗布すれば、特別の操作を要することなく、充満している塗料が上側と下側で均一にローラに滲み出す。その結果、本発明の塗布用ローラは、その回転軸を傾けて用いた場合でも、作業効率を維持しつつ被塗布面に上側と下側で膜厚が均一な塗膜を形成できる。
【００３５】
本発明の塗布用ローラは、上述の外歯２０ｂによる塗料の巻き上げおよびローラ３０への塗料の滲み出し促進を阻害しない程度に、軸部材の外歯２０ｂの上底とローラ３０の内周面とに距離ｄを設けるのが好ましい。軸部材の外歯２０ｂの上底と、ローラ３０の内周面とが接触した状態であると、ローラ３０の回転時に摩擦抵抗が増大することから、塗料を塗布する際にローラ３０の回転が阻害されるおそれがある。軸部材の外歯２０ｂの上底とローラ３０の内周面とに距離ｄを設ける場合、その距離ｄは、例えば、０．２〜０．５ｍｍとすることができる。
【００３６】
本発明の塗布用ローラにおけるローラ３０は、その内周面から滲み出す塗料を被塗布面に塗布できる材料であれば特に制限はなく、例えば、繊維やスポンジ、フェルトを用いることができる。
【００３７】
本発明の塗布用ローラは、ローラ３０を繊維やスポンジ、フェルトのみで構成してもよいが、同図に示すように、管状の芯材３１と、その外周面に被覆され、繊維やスポンジ、フェルトといった被塗布面に塗料を塗布するための塗布材３２とで構成され、その管状の芯材３１に充満した塗料を滲み出させるための貫通孔３１ａが複数配設されているローラ３０であるのが好ましい。これにより、塗布過程での貫通孔の変形が抑制されるので塗料の供給が安定するほか、スパイラル状外歯との摩擦によるローラ内周部の摩耗や変形を低減できるからである。また、ローラの塗布材３２は、被塗布面の表面傷など局所的な凹凸への塗料のつきまわり性や円滑な塗膜形成などの観点から、繊維であるのが好ましい。
【００３８】
本発明の塗布用ローラは、軸部材の吐出口２０ａを、外歯２０ｂの下底（軸部材２０の外周面）であって、その回転軸１０ｂを傾けて用いる際に上側となる端部に配設するとともに、その上側の端部に配設された吐出口２０ａを基準に回転軸１０ｂの方向に等ピッチで、かつ、外歯２０ｂの下底のうちで回転軸１０ｂを傾けて用いる際の外歯２０ｂの下底の上端から、外歯２０ｂの下底の下端から距離が当該ピッチの位置までの領域に吐出口２０ａを配設するのが好ましい。これにより、回転軸１０ｂを傾けた状態でも、隙間に充満している塗料を上側と下側とでより均一にして滲み出させることができる。
【００３９】
同図に示す塗布用ローラ１０は、回転軸１０ｂを傾けて用いる際に塗料供給側が上側となり、閉塞側が下側となる。そして、軸部材の外歯２０ｂの下底であって、塗料供給側（上側）の端部に吐出口２０ａが配設されている。また、その吐出口２０ａを基準に回転軸１０ｂの方向に等ピッチで外歯２０ｂの下底に吐出口が配設されるが、外歯２０ｂの下底の閉塞側の端（下端）からピッチ分の領域には吐出口が配設されていない。すなわち、外歯２０ｂの下底の塗料供給側の端（上端）から、外歯２０ｂの下底の閉塞側の端（下端）から距離が当該ピッチの位置まで、吐出口２０ａが等ピッチで配設されている。
【００４０】
このように上側となる軸部材の端部に吐出口を配設するのが好ましい理由は、隙間に充満している塗料が上側で滲み出し難いことによる。また、外歯２０ｂの下底の下端からの距離がピッチ分の領域に吐出口２０ａを配設しないのが好ましい理由は、隙間に充満している塗料が重力の影響によって下側で滲み出し易いことによる。
【００４１】
なお、回転軸１０ｂに沿って配設する吐出口２０ａは等ピッチであることを模式図において説明しているが、実際の運用で厳密に等ピッチを要求することを規定するものではない。すなわち、ピッチは略等ピッチであれば良く、種々の設計要因によりピッチを変化させることが許容される。ピッチを変化させる範囲は、±２０％の範囲とするのが好ましい。
【００４２】
続いて、上述の塗布用ローラを用いる本発明の折板屋根用塗布装置について、下記図２および図３を参照しながら説明する。
【００４３】
図２は、本発明の折板屋根用塗布装置の構成例を示す模式図であり、同図（ａ）は上面図、同図（ｂ）は側面図である。
図３は、本発明の折板屋根用塗布装置の構成例を模式的に示す正面図である。
【００４４】
図２および図３には、折板屋根用塗布装置５０を示し、図２には、装置の構成の理解を容易にするため、さらに、塗料が塗布される折板屋根９０を想像線で示す。また、図３では、装置構成の理解を容易にするため、補助ローラ７０を保持するためのバー７１および支持部材７２を省略して示す。
【００４５】
同図に示す折板屋根用塗布装置５０は、２つの塗布用ローラ（５１、５２）、それらを支持するフレーム６０および柄５３を備える。また、同図に示す折板屋根用塗布装置５０は、いずれも図示しないが、従来の塗布装置と同様のガン、ポンプ、ガンとポンプとを接続するホース、タンク、および、そのタンクとポンプを接続する配管を備える。２つの塗布用ローラ（５１、５２）は、いずれも上述の本発明の塗布用ローラであり、その軸部材の外周面に外歯が設けられている。
【００４６】
柄５３は、作業者の負担が少ない姿勢（例えば直立姿勢）で作業を可能とするために設けられ、その一端にガン（図示なし）が固定され、他端にフレーム６０が固定される。このような柄５３は、ガンから供給される塗料をフレーム６０に吐出する流路としても機能する。
【００４７】
フレーム６０は、図３に示すように、２つの塗布用ローラ（５１、５２）をそれらの回転軸（５１ａ、５２ｂ）がＶ字状となるように支持する。これにより、２つの塗布用ローラ（５１、５２）は、折板屋根の１つの下底９０ａと連なっている２つのウェブ９０ｂにそれぞれ沿うように支持され、それら２つのウェブ９０ｂに同時に塗料を塗布できる。
【００４８】
図２および３に示すフレーム６０は、Ｔ字状の分岐部材６１、第１スライドエルボ６２、第１揺動エルボ６３、第２スライドエルボ６４、第２揺動エルボ６５および連結部材６６で構成される。第１の塗布用ローラ５１は、塗料供給側を第１スライドエルボ６２および第１揺動エルボ６３を介して分岐部材６１によって支持される。また、第２の塗布用ローラ５２は、塗料供給側を第２スライドエルボ６４および第２揺動エルボ６５を介して分岐部材６１によって支持される。
【００４９】
一方、第１の塗布用ローラ５１の閉塞側と第２の塗布用ローラ５２の閉塞側とは、連結部材６６により一定の距離を設けて保持される。その連結部材６６は、板状であって、一方の端部が第１の塗布用ローラ５１の回転軸と垂直となり、かつ、他方の端部が第２の塗布用ローラ５２の回転軸と垂直となるように捩られた形状である。
【００５０】
このような構成のフレーム６０は、第１の塗布用ローラ５１、第２の塗布用ローラ５２および分岐部材６１を略三角形状（環状）をなすように連結することにより、第１の塗布用ローラの回転軸５１ａと第２の塗布用ローラの回転軸５２ａとがＶ字状となるように保持する。
【００５１】
また、図２および３に示すフレーム６０は、柄５３から供給された塗料を第１の塗布用ローラ５１および第２の塗布用ローラ５２に吐出する流路としても機能する。具体的には、Ｔ字状の分岐部材６１は、柄５３から供給された塗料を２つの塗布用ローラに供給するため分流する。分岐部材６１によって分流された塗料の一部は、第１スライドエルボ６２および第１揺動エルボ６３を介して第１の塗布用ローラ５１に供給され、その残部は、第２スライドエルボ６４および第２揺動エルボ６５を介して第２の塗布用ローラ５２に供給される。
【００５２】
このような構成例を採用できる本発明の折板屋根用塗布装置は、供給される塗料を主に折板屋根のウェブ９０ｂに塗布するために２つの上述の本発明の塗布用ローラと、それらの塗布用ローラ（５１、５２）をそれらの回転軸（５１ａ、５２ｂ）がＶ字状となるように保持するフレーム６０と、そのフレーム６０が一端に固定された柄５３とを備えることを特徴とする。
【００５３】
本発明の折板屋根用塗布装置は、塗布用ローラ（５１、５２）として、上述の本発明の塗布用ローラ、すなわち、軸部材の外周面にスパイラル状の外歯が設けられている塗布用ローラを用いる。このため、折板屋根のウェブ９０ｂに下底の長手方向に沿ってフレーム６０に保持された塗布用ローラ（５１、５２）を往復移動させることによって塗料を塗布すれば、塗布用ローラの回転軸が傾いた状態となるが、軸部材のスパイラル状の外歯による塗料の巻き上げおよび滲み出し促進の効果が発揮され、ウェブ９０ｂの上側と下側に均一に塗料を塗布できる。
【００５４】
また、２つの塗布用ローラ（５１、５２）をそれらの回転軸（５１ａ、５２ｂ）がＶ字状になるようにフレーム６０によって保持するので、折板屋根の１つの下底９０ａと連なっている２つのウェブ９０ｂに同時に塗料を塗布できる。その際、折板屋根のウェブ９０ｂに塗布された塗料の一部が、折板屋根の下底９０ａに到達して塗布される。このため、作業効率を大幅に向上できる。
【００５５】
２つの塗布用ローラ（５１、５２）を保持するフレーム６０は、柄５３の一端に固定されているので、作業者の負担が少ない姿勢（例えば直立姿勢）で作業が可能となる。これによっても、作業効率を向上できる。
【００５６】
例えば、特許文献１および２に提案されるような塗布用ローラをその回転軸を傾けて折板屋根の下底に沿って往復移動させることにより、折板屋根のウェブ塗料を塗布したとする。この場合、１日あたりの塗布作業時間を６時間とすれば、１日で塗布可能な面積は２００ｍ2程度であり、ウェブの上側と下側で塗膜が不均一となる。これに対し、本発明の折板屋根用塗布装置を用いれば、１日で塗布可能な面積を６００ｍ2程度に向上できるとともに、ウェブの上側と下側で塗膜を均一にできる。
【００５７】
本発明の折板屋根用塗布装置は、さらに、主に折板屋根の下底９０ａに塗料を塗布するための回転可能に支持されている補助ローラ７０を備えるのが好ましい。図２および３に示す塗布装置５０は、図２に示すように、補助ローラ７０を回転可能に保持するため、バー７１および支持部材７２を備える。バー７１は、第１スライドエルボ６２と第２スライドエルボ６４との間に架設され、支持部材７２を保持する。支持部材７２は、図２（ｂ）に示すように、バー７１に保持される棒部７２ａと、ローラを回転可能に支持する支持部７２ｂとを有する。このようなバー７１および支持部材７２により、補助ローラ７０は、図３に示すように、第１の塗布用ローラ５１および第２の塗布用ローラ５２の閉塞側（下端）の近傍、かつ、後方で折板屋根の下底９０ａに沿うように保持される。
【００５８】
このように塗布装置が補助ローラ７０を備えれば、折板屋根の下底９０ａと連なっている２つのウェブ９０ｂに塗料を塗布する際、塗布用ローラ（５１、５２）に供給された塗料がウェブ９０ｂを経由して折板屋根の下底９０ａに到達することから、その到達した塗料を補助ローラ７０で均すことにより、折板屋根の下底９０ａにも均一に塗料を塗布できる。なお、上述の通り、折板屋根の下底９０ａにはウェブ９０ｂを経由して塗料が到達するので、補助ローラ７０に直接的に塗料を供給する必要はない。
【００５９】
ここで、折板屋根の下底９０ａの幅やウェブ９０ｂの角度は、規格化が図られているが、数多くの種類がある。多くの種類の折板屋根に対応するため、本発明の折板屋根用塗布装置は、フレーム６０が、２つの塗布用ローラの回転軸（５１ａ、５２ｂ）がなす角度を調整する角度調整手段と、２つの塗布用ローラの間隔を調整する間隔調整手段とを有するのが好ましい。
【００６０】
図２および３に示す塗布装置５０は、間隔調整手段を実現するため、フレーム６０を構成する第１スライドエルボ６２および第２スライドエルボ６４の位置を図３の実線矢印で示す方向にそれぞれ変更できる。これにより、２つの塗布用ローラの上端の間隔を調整できる。一方、連結部材６６は、塗布用ローラの先端にねじ止めされていることから、長さが異なる連結部材を複数準備すれば、連結部材の交換により２つの塗布用ローラの下端の間隔を調整できる。
【００６１】
また、角度調整手段を実現するため、フレーム６０を構成する第１揺動エルボ６３および第２揺動エルボ６５は、図３の破線矢印で示す方向に揺動可能に設けられている。第１揺動エルボ６３の揺動により、それに接続されている第１の塗布用ローラ５１の角度を変更でき、第２揺動エルボ６５の揺動により、それに接続されている第２の塗布用ローラ５２の角度を変更できる。角度を変更する際、第１および第２の塗布用ローラ（５１、５２）の下端は、連結部材６６で保持されているが、連結部材６６が回転することから、第１および第２の塗布用ローラ（５１、５２）の角度を変更できる。
【００６２】
なお、２つの塗布用ローラ（５１、５２）の角度はそれぞれの揺動エルボ（６３、６５）の締め付けによって固定されるが、塗布時において塗布用ローラのウェブ９０ｂに対する押付け力を高める目的で連結部材６６に２つの塗布用ローラを引き離す働きをするばね機能を付与してもよい。
【００６３】
本発明の折板屋根用塗布装置は、補助ローラ７０を備える場合、さらに、補助ローラ７０の高さを調整するための高さ調整手段を備えるのが好ましい。図２および３に示す塗布装置５０は、支持部材７２によって回転可能に支持される補助ローラの高さは、バー７１が保持する支持部材の棒部７２ａの位置を変更することにより、調整可能である。なお、補助ローラ７０を保持するために第１スライドエルボ６２と第２スライドエルボ６４との間に架設されるバー７１が、詳細な説明は省略するが、伸縮可能である。このため、フレーム６０を構成する第１スライドエルボ６２および第２スライドエルボ６４の位置変更に伴ってバー７１の伸縮により長さが調整される。
【００６４】
本発明の折板屋根用塗布装置は、第１の塗布用ローラ５１が備える軸部材の外周面に形成された外歯の向きが、第２の塗布用ローラ５２が備える軸部材の外周面に形成された外歯の向きと、逆向きであるのが好ましい。換言すると、第１の塗布用ローラ５１の外歯が右ネジと同様の向きに形成されている場合、第２の塗布用ローラ５２の外歯は左ネジと同様の向きに形成するのが好ましく、第１の塗布用ローラ５１の外歯が左ネジと同様の向きに形成されている場合、第２の塗布用ローラ５２の外歯は右ネジと同様の向きに形成するのが好ましい。
【００６５】
これにより、第１および第２の塗布用ローラ（５１、５２）を折板屋根の下底９０ａに沿って移動させて塗料を塗布する際、ある方向に移動させれば、第１および第２の塗布用ローラ（５１、５２）はいずれも充満している塗料を巻き上げる作用を発揮する。また、逆方向に移動させれば、第１および第２の塗布用ローラ（５１、５２）はいずれも充満している塗料を滲み出させる作用を発揮する。これにより、同時に塗料が塗布される２つのウェブ９０ｂに同様に塗料を塗布できる。
【産業上の利用可能性】
【００６６】
本発明の塗布用ローラおよび折板屋根用塗布装置を折板屋根の保守作業に適用すれば、折板屋根のウェブの上側と下側で膜厚が均一な塗膜を形成でき、その塗膜による防錆効果を長期にわたって発揮できるとともに、優れた美観となる。特に、本発明の折板屋根用塗布装置は、従来の塗装方式に比べて作業効率が格段に高いので工期短縮や工事コスト低減が期待でき、作業現場周辺への環境負荷が軽減できるほか、楽な姿勢で作業できるメリットがある。したがって、本発明の塗布用ローラおよび折板屋根用塗布装置は、折板屋根の保守分野において有効に利用できる。
【符号の説明】
【００６７】
１０：塗布用ローラ、  １０ａ：塗料が充満する隙間、  １０ｂ：回転軸、
２０：軸部材、  ２０ａ：吐出口、  ２０ｂ：外歯、  ２０ｃ：キャップ部、
３０：ローラ、  ３１：芯材、  ３１ａ：貫通孔、  ３２：塗布材、
４０：ベアリング、  ４１：ロッド、  ５０：折板屋根用塗布装置、
５１：第１の塗布用ローラ、  ５１ａ：第１の塗布用ローラの回転軸、
５２：第２の塗布用ローラ、  ５２ａ：第２の塗布用ローラの回転軸、
５３：柄、  ６０：フレーム、  ６１：分岐部材、  ６２：第１スライドエルボ、
６３：第１揺動エルボ、  ６４：第２スライドエルボ、  ６５：第２揺動エルボ、
６６：連結部材、  ７０：補助ローラ、  ７１：バー、  ７２：支持部材、
７２ａ：棒部、  ７２ｂ：支持部、  ９０：折板屋根、  ９０ａ：下底、
９０ｂ：ウェブ、  ９０ｃ：上底
【図１】
2014213220.tif 000003
【図２】
2014213220.tif 000004
【図３】
2014213220.tif 000005